(57)【特許請求の範囲】
【請求項１】
昇降路の所定経路を昇降するかごと、上記かごの上部に装着された桁の両端にそれぞれ枢着されて乗場から見てかごの奥行き方向に互いに離れて配置されたかご滑車と、上記昇降路の他の所定経路を昇降するつり合おもりと、上記つり合いおもりに枢着されたつり合いおもりの滑車と、上記昇降路の縁部上端に両端がそれぞれ支持された旧機械台からなる上部支持梁と、上端が上記上部支持梁に連結されて下垂した連結体と、この連結体の下端に装着されて上記昇降路内の上部に配置された支持体と、この支持体の上に装着され、水平投影面において扁平な矩形に形成された巻上機と、上記支持体に設けられて乗場側に配置された上記かご滑車の上方対応位置に配置されたかご側綱止め具と、上記支持体に設けられて上記つり合いおもりの滑車の上方対応位置に配置されたつり合いおもり側綱止め具と、一端が上記かご側綱止め具に連結されて下方に張設され、上記かごの上部に装着された桁の両端にそれぞれ装着された上記かご滑車に巻掛けられて上方に張設されて巻上機の駆動綱車に巻掛けられ、下方に張設されて上記つり合おもりの滑車に巻掛けられて上方に張設され、他端は上記つり合いおもり側綱止め具に連結された主索とを備えたことを特徴とするエレベーター装置。
【発明の詳細な説明】
【０００１】
【発明の属する技術分野】
この発明は、昇降路外の上方に配置した機械室に巻上機を設置した形式を、昇降路内上部に巻上機を設置した形式に改修するエレベーター装置に関する。
【０００２】
【従来の技術】
図４〜図７は、昇降路外の上方に配置した機械室に巻上機を設置した形式を、昇降路内に巻上機を設置した形式に改修する従来のエレベーター装置を示す図であり、図４は昇降路外の上方機械室を有するエレベーター装置の縦断面図、図５は図４のエレベーター装置を昇降路内に巻上機を有する形式に改修した状況を示す横断平面図、図６は図５のＡ−Ａ線断面図、図７は図５のＢ−Ｂ線断面図である。
【０００３】
図４において、１はエレベーターの昇降路、２は昇降路１に上下に互いに離れて設けられた乗場、３は昇降路１外の上方に設けられた機械室、４は昇降路１の縁部上端に両端がそれぞれ支持された機械台、５は機械台４に設置された巻上機で、駆動綱車６が設けられている。７は機械台４に設けられて巻上機５に近接して配置されたそらせ車である。
【０００４】
８は昇降路１に立設されたかご用レール、９はかご用レール８に案内されて昇降路１の所定経路を昇降するかご、１０は昇降路１の底面に設けられてかご９に対向して配置されたかご用緩衝器、１１は昇降路１に立設されたつり合おもり用レール、１２はつり合おもり用レール１１に案内されて昇降路１の他の所定経路を昇降するつり合おもりである。
【０００５】
１３は昇降路１の底面に設けられてつり合おもり１２に対向して配置されたつり合おもり用緩衝器である。１４は主索で、一端がかご９に連結されて上方に張設されて巻上機５の駆動綱車６及びそらせ車７に巻掛けられて下方に張設され、他端はつり合おもり１２に連結されている。
【０００６】
また、図５〜図７において図４と同符号は同部分を示し、１５は側部支持梁で、昇降路１の上部に長手が水平に配置されて、乗場２から見て昇降路１の側面における後部寄りに沿って配置されている。１６は後部支持梁で、昇降路１の上部に長手が水平に配置されて、乗場２から見て昇降路１の背面に沿って配置されている。１７はかご９の下部の両側にそれぞれ枢着されたかご滑車である。
【０００７】
１８は側部支持梁１５に枢着されて側部支持梁１５の長手方向に互いに離れて配置された側部滑車、１９は水平投影面において偏平な矩形に形成された薄型巻上機で、駆動綱車２０が設けられている。２１は昇降路１の底面に設置された機械台で、薄型巻上機１９が設置されると共に、つり合おもり用レール１１の下端が連結されている。２２はつり合おもり１２に枢着された吊り車からなる滑車である。
【０００８】
２３は後部滑車で、後部支持梁１６に枢着されて水平投影面において駆動綱車２０とつり合おもりの滑車２２の間に配置されている。２４はかご側綱止め具で、昇降路１の上部の固定部に設けられて反側部支持梁１５側のかご滑車１７の上方対応位置に配置されている。２５はつり合おもり側綱止め具であり、後部支持梁１６に設けられてつり合おもり１２の滑車２２の上方対応位置に配置されている。
【０００９】
２６は主索で、一端がかご側綱止め具２４に連結されて下方に張設され、かご滑車１７に巻掛けられて上方に張設されて側部滑車１８に巻掛けられ、下方に張設されて駆動綱車２０に巻掛けられて上方に張設され後部滑車２３に巻掛けられて下方に張設され、つり合おもり１２の滑車２２に巻掛けられて上方に張設されて、他端はつり合おもり側綱止め具２５に連結されている。
【００１０】
上記のように昇降路１外の上方に配置した機械室３に巻上機５を設置した形式のエレベーターは図４に示すように構成される。そして、かご９及びつり合おもり１２によって主索１４を介して巻上機５に作用する荷重が、機械台４により昇降路１の縁部上端部によって支持される。また、通常時においてかご用レール８、つり合おもり用レール１１にかご９等の吊持荷重が作用しない構造になっている。
【００１１】
そして、図４に示すエレベーターが従来、図５〜図７に示すような昇降路１内に巻上機１９を設置した形式、いわゆる機械室無し形式のエレベーターに改修される。すなわち、要部がかご用レール８に支持された側部支持梁１５、要部がつり合おもり用レール１１に支持された後部支持梁１６及びつり合おもり用レール１１の下端が連結された機械台２１が設けられる。そして、側部支持梁１５に側部滑車１８が、また後部支持梁１６に後部滑車２３が、また機械台２１に薄型巻上機１９が設けられる。
【００１２】
このような構成によって、かご９等の吊持荷重が主索２６によって側部支持梁１５、後部支持梁１６、機械台２１を介し、かご用レール８、つり合おもり用レール１１によって支持される。すなわち、かご用レール８には図６に示す荷重Ｐが、またつり合おもり用レール１１には図７に示す荷重Ｑが作用する。
【００１３】
【発明が解決しようとする課題】
上記のような従来の昇降路外の上方に配置した機械室３に巻上機５を設置した昇降路上方機械室形式を、昇降路１内に巻上機を設置した機械室無し形式に改修するエレベーター装置では、かご用レール８、つり合おもり用レール１１にかご９等の吊持荷重が作用する。このため、かご用レール８等をサイズアップする必要があって煩雑な手数が掛かるという問題点があった。また、側部支持梁１５、後部支持梁１６の設置スペースを要するので、昇降路１の壁とかご９、つり合おもり１２との隙間が少ない場合には機械室無し形式への改修が不能になる。
【００１４】
この発明は、かかる問題点を解消するためになされたものであり、昇降路上方機械室形式を機械室無し形式に容易に改修することができるエレベーター装置を得ることを目的とする。
【００１５】
【課題を解決するための手段】
この発明に係るエレベーター装置においては、昇降路の所定経路を昇降するかごと、かごの上部に装着された桁の両端にそれぞれ枢着されて乗場から見てかごの奥行き方向に互いに離れて配置されたかご滑車と、昇降路の他の所定経路を昇降するつり合おもりと、つり合いおもりに枢着されたつり合いおもりの滑車と、昇降路の縁部上端に両端がそれぞれ支持された旧機械台からなる上部支持梁と、上端が上部支持梁に連結されて下垂した連結体と、この連結体の下端に装着されて昇降路内の上部に配置された支持体と、この支持体の上に装着され、水平投影面において扁平な矩形に形成された巻上機と、支持体に設けられて乗場側に配置されたかご滑車の上方対応位置に配置されたかご側綱止め具と、支持体に設けられてつり合いおもりの滑車の上方対応位置に配置されたつり合いおもり側綱止め具と、一端がかご側綱止め具に連結されて下方に張設され、かごの上部に装着された桁の両端にそれぞれ装着されたかご滑車に巻掛けられて上方に張設されて巻上機の駆動綱車に巻掛けられ、下方に張設されてつり合おもりの滑車に巻掛けられて上方に張設され、他端はつり合いおもり側綱止め具に連結された主索とを備えたものである。
【００１７】
【発明の実施の形態】
実施の形態１．
図１及び図２は、この発明の実施の形態の一例を示す図で、図１は昇降路外の上方に配置した機械室に巻上機を設置した形式のエレベーター装置を昇降路内上部に巻上機を設けた形式に改修した状況を示す縦断面図、図２は図１の平面図である。図において、１はエレベーターの昇降路、２は昇降路１に上下に互いに離れて設けられた乗場、３は昇降路１外の上方に設けられた旧機械室である。
【００１８】
４は昇降路１の縁部上端に両端がそれぞれ支持された旧機械台からなる上部支持梁、８は昇降路１に立設されたかご用レール、９はかご用レール８に案内されて昇降路１の所定経路を昇降するかご、１０は昇降路１の底面に設けられてかご９に対向して配置されたかご用緩衝器、１１は昇降路１に立設されたつり合おもり用レール、１２はつり合おもり用レール１１に案内されて昇降路１の他の所定経路を昇降するつり合おもりである。
【００１９】
１３は昇降路１の底面に設けられてつり合おもり１２に対向して配置されたつり合おもり用緩衝器、２２はつり合おもり１２に枢着された吊り車からなる滑車、２７はかご滑車で、かご９の上部に設けられた桁の両端にそれぞれ枢着されて乗場２から見てかご９の奥行き方向に互いに離れて配置されている。２８は上端が上部支持梁４に連結されて下垂した連結体である。
【００２０】
２９は連結体２８の下端に装着されて昇降路１内の上部に配置されたパネル状の支持体、３０は支持体２９の上に設置された巻上機で、水平投影面において偏平な矩形に形成された薄型巻上機からなり駆動綱車２０が設けられている。３１はかご側綱止め具で、支持体２９に設けられて乗場２側に配置されたかご滑車２７の上方対応位置に配置されている。
【００２１】
３２はつり合おもり側綱止め具で、支持体２９に設けられてつり合おもり１２の滑車２２の上方対応位置に配置されている。３３は主索で、一端がかご側綱止め具３１に連結されて下方に張設され、かご滑車２７に巻掛けられて上方に張設されて駆動綱車２０に巻掛けられ、下方に張設されてつり合おもり１２の滑車２２に巻掛けられて上方に張設され、他端はつり合おもり側綱止め具３２に連結されている。
【００２２】
上記のように構成されたエレベーター装置において、前述の図４に示すような昇降路１外の上方に設けた機械室３に巻上機５を設置した昇降路上方機械室形式のエレベーターが、図１及び図２に示すように昇降路１内上部に巻上機３０を設置した機械室無し形式のエレベーターに改修される。
【００２３】
そして、図１及び図２に示す機械室無し形式のエレベーターでは、かご９及びつり合おもり１２によって主索３３を介して巻上機３０、かご側綱止め具３１及びつり合おもり側綱止め具３２に作用する荷重が支持体２９、連結体２８及び上部支持梁４を介して昇降路１の縁部上端によって支持される。
【００２４】
これによって、かご用レール８、つり合おもり用レール１１に通常時におけるかご９等の吊持荷重が作用しない。このため、かご用レール８等をサイズアップする必要がなく、また前述の側部支持梁１５、後部支持梁１６の追加設置が不要であるので、昇降路１の壁と、かご９又はつり合おもり１２との隙間を広げる必要もない。
【００２５】
したがって、昇降路上方機械室形式のエレベーターを機械室無し形式のエレベーターに昇降路１の横断面積等の制約を受けることなく容易に改修することができる。すなわち、かご９のサイズが同じであって新規の上部支持梁４を要せず、またかご用レール８等の主要部材を更新する必要がない。このため、改修作業が少なくなり短期間の工事によって既設のエレベーターを最新技術を駆使したエレベーターに容易に改修することができる。
【００２６】
また、かご９の上部に装着された桁の両端にそれぞれ枢着されたかご滑車２７に主索３３が巻掛けられるので、かご９の重心を吊持することができる。このため、かご９に設けられてかご用レール８に係合したガイドシュー（図示しない）の反力が最小になり、かご９の昇降時の振動、騒音の発生を少なくすることができ、エレベーターの運転を静穏化することができる。さらに、支持体２９の上にエレベーターの制御盤を設置することも可能である。
【００２８】
実施の形態２．
図３は、この発明の他の実施の形態の一例を示す図で、前述の図２相当図である。なお、図３の他は前述の図１及び図２の実施の形態と同様にエレベーター装置が構成されている。図において、図１及び図２と同符号は相当部分を示し、１２はつり合おもりで、昇降路１の乗場２から見た側面の壁に対面して配置されている。
【００２９】
上記のように構成されたエレベーター装置においても、上部支持梁４、連結体２８及び支持体２９が設けられて、支持体２９に巻上機３０、かご側綱止め具３１及びつり合おもり側綱止め具３２が設けられる。したがって、詳細な説明を省略するが図３の実施の形態においても図１及び図２の実施の形態と同様な作用が得られる。
【００３０】
この発明は以上説明したように、昇降路の所定経路を昇降するかごと、かごの上部に装着された桁の両端にそれぞれ枢着されて乗場から見てかごの奥行き方向に互いに離れて配置されたかご滑車と、昇降路の他の所定経路を昇降するつり合おもりと、つり合いおもりに枢着されたつり合いおもりの滑車と、昇降路の縁部上端に両端がそれぞれ支持された旧機械台からなる上部支持梁と、上端が上部支持梁に連結されて下垂した連結体と、この連結体の下端に装着されて昇降路内の上部に配置された支持体と、この支持体の上に装着され、水平投影面において扁平な矩形に形成された巻上機と、支持体に設けられて乗場側に配置されたかご滑車の上方対応位置に配置されたかご側綱止め具と、支持体に設けられてつり合いおもりの滑車の上方対応位置に配置されたつり合いおもり側綱止め具と、一端がかご側綱止め具に連結されて下方に張設され、かごの上部に装着された桁の両端にそれぞれ装着されたかご滑車に巻掛けられて上方に張設されて巻上機の駆動綱車に巻掛けられ、下方に張設されてつり合おもりの滑車に巻掛けられて上方に張設され、他端はつり合いおもり側綱止め具に連結された主索とを備えたものである。
【００３１】
これによって、かご及びつり合おもりによる荷重が主索を介して巻上機、かご側綱止め具及びつり合おもり側綱止め具に作用し、これらの荷重が支持体、連結体及び上部支持梁を介して昇降路の縁部上端によって支持される。このため、かご用レール、つり合おもり用レールに、通常時におけるかご等の吊持荷重が作用しない。したがって、かご用レール等をサイズアップする必要がなく、また支持梁の追加設置を要しない。また、昇降路の壁と、かご又はつり合おもりとの隙間を広げる必要もない。このため、既設の昇降路上方機械室形式のエレベーターを、機械室無し形式のエレベーターに改修に要する作業が減少し、工期を短縮することができて改修工事を容易化する効果がある。
【図面の簡単な説明】
【図１】  この発明の実施の形態１を示す図で、昇降路外の上方に配置した機械室に巻上機を設置した形式のエレベーター装置を昇降路内上部に巻上機を設けた形式に改修した状況を示す縦断面図。
【図２】  図１の平面図。
【図３】  この発明の実施の形態２を示す図で、前述の図２相当図。
【図４】  昇降路外の上方機械室を有するエレベーター装置の縦断面図。
【図５】  図４のエレベーター装置を昇降路内に巻上機を有する形式に改修した従来の状況を示す横断平面図。
【図６】  図５のＡ−Ａ線断面図。
【図７】  図５のＢ−Ｂ線断面図。
【符号の説明】
１  昇降路、    ４  上部支持梁、    ９  かご、    １２  つり合おもり、２０  駆動綱車、    ２２  つり合おもりの滑車、    ２７  かご滑車、２８  連結体、    ２９  支持体、    ３０  巻上機、    ３３  主索。
【図１】
0004091326.tif 000002
【図２】
0004091326.tif 000003
【図３】
0004091326.tif 000004
【図４】
0004091326.tif 000005
【図５】
0004091326.tif 000006
【図６】
0004091326.tif 000007
【図７】
0004091326.tif 000008